(57)【要約】【課題】簡単に対流ファンフィルタが着脱でき、埃に対する耐力が高い温風暖房装置を提供する。【解決手段】  機器本体１の背面板３に設けた対流ファンガード９と、対流ファンガード９に着脱自在に取り付けられた対流ファンフィルタ１０とを備え、対流ファンフィルタ１０の内側の上部に磁石からなる上部係合部材２１を設け、対流ファンフィルタ１０の内側の下部に磁石からなる下部係合部材２２を設け、対流ファンガード９の正面上端部分に傾斜部２３を形成したので、上部係合部材２１は傾斜部２３に当接しながら傾斜部の傾斜面に沿って移動し、それにより対流ファンガード９に上部係合部材２１が接触することで対流ファンガード９がそれ以上差し込めなくなるのを防止でき、簡単に対流ファンフィルタ１０を確実に正規の位置に装着できるものである。【選択図】  図８
2019113298.tif 000002
【特許請求の範囲】
【請求項１】
機器本体の背面板に形成した空気吸込口を覆うように背面板に取り付けられる対流ファンガードと、該対流ファンガードに着脱自在に取り付けられた対流ファンフィルタとを備えた温風暖房装置に於いて、前記対流ファンフィルタは略中央に取っ手部が形成されたフィルタ上部と、複数の通気穴が形成された通気部とにより断面略Ｌ字状に設けられ、前記対流ファンフィルタの内側の上部に磁石からなる上部係合部材を設けると共に、対流ファンフィルタの内側の下部に磁石からなる下部係合部材を設け、前記対流ファンガードの正面上端部分に傾斜部を形成したことを特徴とする温風暖房装置。
【請求項２】
前記対流ファンガードの正面の垂直面から前記傾斜部の上側端部までの水平距離Ａが、前記対流ファンフィルタの前記上部係合部材の下部が前記対流ファンガードの上部に当接させた状態における前記対流ファンフィルタの内面の前記対流ファンガードとの当接部から前記上部係合部材の下部の前記対流ファンガードとの当接部までの水平距離ａよりも長くなるように傾斜部を形成したことを特徴とする請求項１記載の温風暖房装置。
【発明の詳細な説明】
【技術分野】
【０００１】
本発明は、ガス、石油を燃料とする温風暖房装置に関するものである。
【背景技術】
【０００２】
従来、この種のものに於いては、温風暖房装置の枠体の背面に室内空気取入口を設け、該室内空気取入口に対流ファンを覆うファンケースを取付け、更に該ファンケースにフィルタの外周の枠を支えるようにスライドガイドを取付けており、フィルタ先端の両端をスライドガイドに合わせて、フィルタの枠の上端に取付けた把手を持ってフィルタを下方へ引下げると、該フィルタはスライドガイドに案内されてファンケースを覆うようにファンケースの外側に配置され、その状態からフィルタの枠の上端の把手を持ってフィルタを上方へ引上げると、該フィルタはスライドガイドに案内されて上方へ取外すことができるものであった。（例えば、特許文献１参照。）
【０００３】
又、温風暖房装置の後方及び上部に十分な空間がないような場所に設置された場合は、一端フィルタをファンケースから取り外してしまうと、再度フィルタを取り付けるのに目で確認しながらフィルタ先端の両端をスライドガイドに合わせることができず、簡単にファンケースにフィルタを取り付けることが出来なかった。
【０００４】
そこで本出願人は、先に機器本体の背面板に形成した空気吸込口を覆うように背面板に取り付けられる対流ファンガードに着脱自在に取り付けられる対流ファンフィルタを、略中央に取っ手部が形成されたフィルタ上部と、複数の通気穴が形成された通気部とにより断面略Ｌ字状に設けられ、前記対流ファンフィルタの内側の上部に磁石からなる上部係合部材を設けると共に、対流ファンフィルタの内側の下部に磁石からなる下部係合部材を設け、前記通気部で上部係合部材の下方に位置する部分を内面側に突起させて突起部を形成し、対流ファンフィルタを取り付ける時、まず突起部が対流ファンガードの上面部分に接触し、それにより上部係合部材の位置を対流ファンガードの正面の位置まで移動させることで対流ファンフィルタを容易に取り付けることができるものを発明した。（例えば、特許文献２参照。）
【先行技術文献】
【特許文献】
【０００５】
【特許文献１】特開１０−１２６５５１号公報
【特許文献２】特開２０１３−３６６６１号公報
【発明の概要】
【発明が解決しようとする課題】
【０００６】
ところで、この従来のものでは、対流ファンフィルタの通気部にパンチングにより形成した複数の通気穴の径を小さくして、フィルタ機能を向上させようとすると、通気部で内面側に突起させて形成された突起部に亀裂が発生してしまうため、通気穴の径を小さくすることができなかった。
【課題を解決するための手段】
【０００７】
上記課題を解決するために、本発明の請求項１では、機器本体の背面板に形成した空気吸込口を覆うように背面板に取り付けられる対流ファンガードと、該対流ファンガードに着脱自在に取り付けられた対流ファンフィルタとを備えた温風暖房装置に於いて、前記対流ファンフィルタは略中央に取っ手部が形成されたフィルタ上部と、複数の通気穴が形成された通気部とにより断面略Ｌ字状に設けられ、前記対流ファンフィルタの内側の上部に磁石からなる上部係合部材を設けると共に、対流ファンフィルタの内側の下部に磁石からなる下部係合部材を設け、前記対流ファンガードの正面上端部分に傾斜部を形成したものである。
【０００８】
また、請求項２では、前記対流ファンガードの正面の垂直面から前記傾斜部の上側端部までの水平距離Ａが、前記対流ファンフィルタの前記上部係合部材の下部が前記対流ファンガードの上部に当接させた状態における前記対流ファンフィルタの内面の前記対流ファンガードとの当接部から前記上部係合部材の下部の前記対流ファンガードとの当接部までの水平距離ａよりも長くなるように傾斜部を形成したしたものである。
【発明の効果】
【０００９】
この発明の請求項１によれば、対流ファンフィルタの内側の上部に磁石からなる上部係合部材を設けると共に、対流ファンフィルタの内側の下部に磁石からなる下部係合部材を設け、前記対流ファンガードの正面上端部分に傾斜部を形成したので、上部係合部材はこの傾斜部に当接しながら傾斜部の傾斜面に沿って移動し、それにより対流ファンガードに上部係合部材が接触することで対流ファンガードがそれ以上差し込めなくなるのを防止でき、簡単に対流ファンフィルタが正規の位置に装着できるものである。
【００１０】
また、従来の対流ファンフィルタの通気部で内面側に突起させて形成された突起部を不要にできたことで、通気部に亀裂を生じることなく通気穴の径を小さくして穴の数を多くすることができ、埃に対するフィルタ性能を向上させることができるものである。
【００１１】
又、請求項２によれば、前記対流ファンガードの正面の垂直面から前記傾斜部の上側端部までの水平距離Ａが、前記対流ファンフィルタの前記上部係合部材の下部が前記対流ファンガードの上部に当接させた状態における前記対流ファンフィルタの内面の前記対流ファンガードとの当接部から前記上部係合部材の下部の前記対流ファンガードとの当接部までの水平距離ａよりも長くなるように傾斜部を形成したので、対流ファンフィルタを二つの本体固定金具の間の空間に差し込んでいくと、上部係合部材が必ずこの傾斜部に接触し、傾斜部の傾斜に沿って上部係合部材が下方にスムーズに移動させることができ、確実に対流ファンフィルタが正規の位置に装着できるものである。
【図面の簡単な説明】
【００１２】
【図１】この発明一実施例を付した温風暖房装置の正面図。
【図２】同側面図。
【図３】同背面図。
【図４】同平面図。
【図５】同温風暖房装置に取り付けられる対流ファンフィルタの正面図。
【図６】同側面図。
【図７】同対流ファンフィルタを取りつける時の要部断面図
【図８】同上部係合部材が傾斜部に接触した時の要部断面図。
【図９】同対流ファンフィルタを取り付けた時の要部断面図。
【発明を実施するための形態】
【００１３】
次に、本発明に係る発明の１実施形態を図面に基づいて説明する。
１は温風暖房装置の機器本体で、各種ボタンや表示部が設けられた天板２と、円形状の空気吸込口（図示せず）と排気用孔（図示せず）とを形成した背面板３と、左右の側面板４、５と、温風吹出口６を設けた前パネル７と、置台８よりなるものである。
【００１４】
９は背面板３に取り付けられた略四角形の対流ファンガードで、背面板３に形成した空気吸込口付近には対流ファン（図示せず）が設けられており、対流ファンガード９はこの空気取入口を覆うように背面板３に取り付けられているものである。
【００１５】
１０は対流ファンフィルタで、略中央に取っ手部１１が形成されたフィルタ上部１２と、パンチングにより複数の通気穴１３が形成された通気部１４とにより断面略Ｌ字状に設けられ、前記通気部１４は中心部分周辺が盛り上がるように形成されているものである。
【００１６】
前記取っ手部１１は、フィルタ上部１２に形成され、取っ手部１１を握った時に手の平の部分が当たる取っ手上部１５と、通気部１４の上部のパンチングされていない部分で取っ手上部１５の真下部分を内側に切り起こして上部当接部１６を形成することで取っ手部１１を握った時に指が入る取っ手下部１７によりなるものである。
【００１７】
１８は背面板３に取り付けられた本体固定金具で、一端を背面板３に固定し、他端を温風暖房装置の背面側の壁にねじ（図示せず）にて固定されるもので、背面板３上部で対流ファンガード９の上端の左右の位置に設けたものである。
【００１８】
又、前記通気部１４の両端は略直角に曲げられて案内部１９が形成され、該案内部１９は対流ファンフィルタ１０を対流ファンガード９に取り付ける時、対流ファンガード９の外側と接触することで対流ファンガード９に対流ファンフィルタ１０が所定の位置になるように案内するもので、 又、前記通気部１４の下端は約４５度に曲げられて磁石離反部２０が形成されているものである。
【００１９】
２１は対流ファンフィルタ１０の内側での上部の両端部分の位置に設けた上部係合部材で、磁石により形成され、対流ファンフィルタ１０の上部を磁力により対流ファンガード９に係合させるものであり、２２は対流ファンフィルタ１０の内側で下部の両端部分の位置に設けた下部係合部材で、磁石により形成され、対流ファンフィルタ１０の下部を磁力により対流ファンガード９に係合させるものである。
【００２０】
２３は対流ファンガード９の上部の曲げ部分に形成された傾斜部で、約４５度の角度で形成され、傾斜部２３の長さは上部係合部材２１の厚さよりも長く形成したものである。
【００２１】
次にこの対流ファンフィルタ１０を対流ファンガード９に取り付ける動作について説明する。
まず、機器本体１の後方及び上部に十分な空間がないような場所に設置された温風暖房装置の正面から対流ファンフィルタ１０を取り付けようとのぞき込むと、背面板３の上部に取り付けられた二つの本体固定金具１８が見えるので、対流ファンフィルタ１０の取っ手部１１を握った状態で対流ファンフィルタ１０の磁石離反部２０から二つの本体固定金具１８の間の空間に対流ファンフィルタ１０を差し込んでいく。
【００２２】
この時、本体固定金具１８の一方と対流ファンフィルタ１０の一方の案内部１９が接触した状態で対流ファンフィルタ１０を二つの本体固定金具１８の間の空間に差し込んでも、本体固定金具１８の一方と接触していない他方の案内部１９の内側に対流ファンガード９の側面部分が接触するので、対流ファンガード９に対しての対流ファンフィルタ１０の横位置は、対流ファンフィルタ１０の両端部分に形成した案内部１９の少なくともどちらか一方の内側に対流ファンガード９の側面部分が接触することで正常の位置に案内されるものである。
【００２３】
又この時、対流ファンフィルタ１０の磁石離反部２０の先端部分が対流ファンガード９の正面部分に接触し、それにより対流ファンフィルタ１０の下部係合部材２２が対流ファンガード９に接触しない状態となっている。
【００２４】
そしてその状態から更に対流ファンフィルタ１０を二つの本体固定金具１８の間の空間に差し込んでいくと、図８のように対流ファンフィルタ１０の上部係合部材２１の下端が対流ファンガード９の上面部分に接触する。
【００２５】
この時、上部係合部材２１が接触する対流ファンガード９の上面の角部部分には傾斜部２３が形成されており、上部係合部材２１はこの傾斜部２３に当接しながら傾斜部２３の傾斜面に沿って移動するので、対流ファンガード９に上部係合部材２１が接触することで対流ファンガード９がそれ以上差し込めなくなるのを防止できるものである。
【００２６】
更に、図８に示したように、対流ファンガード９の正面の垂直面から前記傾斜部２３の上側端部までの水平距離Ａが、前記対流ファンフィルタ１０の前記上部係合部材２１の下部が前記対流ファンガード９の上部に当接させた状態における前記対流ファンフィルタ１０の内面の前記対流ファンガード９との当接部から前記上部係合部材２１の下部の前記対流ファンガード９との当接部までの水平距離ａよりも長くなるように傾斜部２３を形成したので、対流ファンフィルタ１０を二つの本体固定金具１８の間の空間に差し込んでいくと、上部係合部材２１が必ずこの傾斜部２３に接触し、傾斜部２３の傾斜に沿って上部係合部材２１が下方にスムーズに移動させることができ、対流ファンフィルタを確実に正規の位置に装着することができるものである。
【００２７】
そして傾斜部２３よりも長く形成されている取っ手部１１の上部当接部１６が、図９のように対流ファンガード９の上面部分の水平な部分に当接するまで移動すると、それ以上対流ファンフィルタ１０が差し込めない状態になり、又同時に、磁石離反部２０の先端部分が対流ファンガード９の正面部分の下端を通過して磁石離反部２０が対流ファンガード９の正面部分と非接触状態となることで、下部係合部材２２が磁力により完全に対流ファンガード９の正面下部に吸着すると共に、上部係合部材２１の上端が対流ファンガード９の正面部分の垂直な部分に当接して磁力により完全に対流ファンガード９の正面上部に吸着し、対流ファンフィルタ１０の取り付けが完了するもので、この時フィルタ上部１２は本体固定金具１８と同一面になるものである。  
【００２８】
このように、対流ファンフィルタ１０の取り付けが完了した時、フィルタ上部１２が本体固定金具１８と同一面になるので、それにより使用者は対流ファンフィルタ１０が正常に取り付けられたことが容易に確認できるものである。
【００２９】
次にこの対流ファンフィルタ１０を対流ファンガード９から取り外す動作について説明する。
まず、機器本体１の後方に取り付けられている対流ファンフィルタ１０の取っ手部１１を握って対流ファンフィルタ１０を引き上げていくと、図９のように上部係合部材２１と下部係合部材２２が磁力により対流ファンガード９の正面部分に吸着したまま対流ファンフィルタ１０が持ち上げられていく。
【００３０】
そして更に対流ファンフィルタ１０を引き上げていくと、磁石離反部２０が対流ファンガード９の下面に接触する。
この磁石離反部２０は約４５度に曲げられて形成されているので、磁石離反部２０が対流ファンガード９の下面に接触したまま対流ファンフィルタ１０を引き上げていくと、徐々に対流ファンフィルタ１０下部を対流ファンガード９から離すもので、それにより下部係合部材２２が対流ファンガード９の正面部分から離れるものである。
【００３１】
このように、約４５度に曲げられて形成されている磁石離反部２０が対流ファンガード９の下面に接触することで、磁石離反部２０が対流ファンガード９の下面に接触しても対流ファンフィルタ１０を引き上げる動作の抵抗にならずにスムーズに対流ファンフィルタ１０を引き上げることができ、その上で下部係合部材２２を対流ファンガード９より引き離す間隔を大きくすることができるので、対流ファンガード９を引き上げても下部係合部材２２が磁力により対流ファンガード９の正面部分に吸着したままなかなか外れないという不具合が発生するのを防止し、容易に対流ファンフィルタ１０を取り外すことができるものである。
【００３２】
そして図７のように、上部係合部材２１は対流ファンフィルタ１０を引き上げることで対流ファンガード９の正面部分から離れ、下部係合部材２２は磁石離反部２０が対流ファンガード９の下面に接触したまま対流ファンフィルタ１０を引き上げることで対流ファンガード９の正面部分から離れるので、その状態から更に対流ファンフィルタ１０を引き上げることで簡単に対流ファンフィルタ１０を機器本体１の後方から取り外すことができるものである。
【００３３】
尚、従来及び本実施例の対流ファンフィルタ１０の外形は同じ大きさで、従来の通気部で上部係合部材の下方に位置する部分を内面側に突起させて突起部を形成した対流ファンフィルタが、直径４ｍｍの穴が２１００個形成されていたのに対し、本実施例の対流ファンフィルタ１０では穴を小さくすると共に穴と穴とのピッチを短くすることができ、亀裂を生じることなく直径２ｍｍの穴を８７００個形成することができ、埃に対するフィルタ性能を向上させることができるものである。
【００３４】
これにより、従来、対流ファンフィルタ１０及び対流ファンガード９を通過して対流ファンに付着した埃を清掃した後、次回清掃するまでの時間の間隔が約二倍となり、メンテナンス性を向上させることができるものである。
【符号の説明】
【００３５】
１  機器本体
３  背面板
９  対流ファンガード
１０  対流ファンフィルタ
１１  取っ手部
１２  フィルタ上部
１３  通気穴
１４  通気部
２１  上部係合部材
２２  下部係合部材
２３  傾斜部
【図１】
2019113298.tif 000003
【図２】
2019113298.tif 000004
【図３】
2019113298.tif 000005
【図４】
2019113298.tif 000006
【図５】
2019113298.tif 000007
【図６】
2019113298.tif 000008
【図７】
2019113298.tif 000009
【図８】
2019113298.tif 000010
【図９】
2019113298.tif 000011